(57)【特許請求の範囲】
【請求項１】
ネットワークに接続された他の記録再生装置と接続可能で、該他の記録再生装置を遠隔制御できる電子機器の未再生録画通知装置において、ネットワークに接続された記録再生装置の動作状態の変化を検知し、録画状態を検知すると録画している記録媒体を特定する記録媒体ＩＤを該記録再生装置に要求する未再生通知制御手段と、
該記録媒体ＩＤと前記ネットワークに接続された記録再生装置が記録媒体に記録した録画を区別する録画番号と該録画が未再生かどうかを示す再生指数からなる録画情報と、該記録媒体を特定するＩＤとの組み合わせを記録する録画情報記録手段と、
該録画情報記録手段に記録された情報に未再生録画が存在する場合に、ネットワークに接続されたテレビモニタに該未再生の録画があることを表示し通知する通知手段
とを備えてなることを特徴とする未再生録画通知装置。
【請求項２】
ネットワークに接続された他の記録再生装置と接続可能で、該他の記録再生装置を遠隔制御できる電子機器の未再生録画通知装置において、ネットワークに接続された記録再生装置が録画情報を保持しているかを検知し、保持している場合には該記録再生装置に録画情報を要求し、該録画情報を用いて未再生録画の存在を検知する未再生通知制御手段と、
ネットワークに接続されたテレビモニタに該未再生の録画があることを表示し通知する通知手段
とを備えてなることを特徴とする未再生録画通知装置。
【請求項３】
ネットワークに接続された他の記録再生装置と接続可能で、該他の記録再生装置を遠隔制御できる電子機器の未再生録画通知装置において、ネットワークに接続された記録再生装置が録画情報を保持しているかを検知し、保持している場合には該記録再生装置に録画情報を要求し、保持していない場合には、該記録再生装置が録画状態を検知すると録画している記録媒体を特定する記録媒体ＩＤを該記録再生装置に要求する未再生通知制御手段と、
該記録媒体ＩＤと前記ネットワークに接続された記録再生装置が記録媒体に記録した録画を区別する録画番号と該録画が未再生かどうかを示す再生指数からなる録画情報と、該記録媒体を特定するＩＤとの組み合わせを記録する録画情報記録手段と、
該録画情報記録手段に記録された情報に未再生録画が存在するか、該未再生通知制御手段が該記録再生装置に要求した該録画情報から未再生録画の存在を検知した場合には、ネットワークに接続されたテレビモニタに該未再生の録画があることを表示し通知する通知手段
とを備えてなることを特徴とする未再生録画通知装置。
【請求項４】
請求項１ないし請求項３のいずれかに記載の未再生録画通知装置において、上記ネットワークに接続された記録再生装置の録画の終了を検知すると、ネットワークに接続されたテレビモニタに該未再生の録画があることを表示し通知することを特徴とする未再生録画通知装置。
【請求項５】
請求項１ないし請求項３のいずれかに記載の未再生録画通知装置において、ネットワークに接続されたテレビモニタの電源がオンになったことを検知する度に、未再生録画がある場合はテレビモニタに該未再生の録画があることを表示し通知することを特徴とする未再生録画通知装置。
【請求項６】
請求項２または請求項３に記載の未再生録画通知装置において、ネットワークに接続されたテレビモニタの電源がオンになったことを検知する度に、ネットワークに接続された記録再生装置が録画情報を保持しているかを検知し、保持している場合には該記録再生装置に録画情報を要求し、未再生録画がある場合はテレビモニタに該未再生の録画があることを表示し通知することを特徴とする未再生録画通知装置。
【請求項７】
請求項１ないし請求項３のいずれかに記載の未再生録画通知装置において、未再生録画を再生するインターフェースを備え、テレビモニタに該未再生の録画があることを表示し通知している間に再生要求を検知すると、上記録画情報記録手段に記録された情報から記録再生装置と記録媒体を特定し、該未再生録画の通知を表示したテレビモニタと該記録再生装置のプラグ接続制御、及び、頭出し再生制御をすることを特徴とする未再生録画通知装置。
【請求項８】
請求項１ないし請求項３のいずれかに記載の未再生録画通知装置において、通知手段は未再生録画の情報を録画された機器を区別せずに未再生録画一覧を表示することを特徴とする未再生録画通知装置。
【請求項９】
請求項１ないし請求項３のいずれかに記載の未再生録画通知装置において、通知手段は未再生録画の一覧表示から再生する番組を選択させるインターフェースを備え、番組が選択された場合には、上記録画情報記録手段を参照し選択された該番組を録画した記録再生装置と記録媒体を特定し、該未再生録画の一覧を表示したテレビモニタと該記録再生装置のプラグ接続制御、及び、頭出し再生制御をすることを特徴とする未再生録画通知装置。
【請求項１０】
請求項２または請求項３のいずれかに記載の未再生録画通知装置において、通知手段は一覧表示から再生する番組を選択させるインターフェースを備え、選択された番組が録画された記録再生装置が録画情報を保持している記録再生装置である場合は、該録画情報保持可能な記録再生装置のもつ機能を使って頭出し再生制御をすることを特徴とする未再生録画通知装置。
【請求項１１】
請求項１ないし請求項３のいずれかに記載の未再生録画通知装置において、テレビモニタと一体型であることを特徴とする未再生録画通知装置。
【請求項１２】
請求項１ないし請求項３のいずれかに記載の未再生録画通知装置において、記録再生装置と一体型であることを特徴とする未再生録画通知装置。
【請求項１３】
請求項１ないし請求項３のいずれかに記載の未再生録画通知装置において、テレビモニタ付き記録再生装置と一体型であることを特徴とする未再生録画通知装置。
【請求項１４】
請求項１ないし請求項３のいずれかに記載の未再生録画通知装置を備えた未再生録画通知システムにおいて、前記未再生録画通知装置に未再生録画を再生するインターフェースを備え、テレビモニタに該未再生の録画があることを表示し通知している間に再生要求を検知すると、上記録画情報記録手段に記録された情報から記録再生装置と記録媒体を特定し、該未再生録画の通知を表示したテレビモニタと該記録再生装置のプラグ接続制御、及び、頭出し再生制御をすることを特徴とする未再生録画通知システム。
【請求項１５】
ネットワークに接続された他の記録再生装置と接続可能な複数の電子機器が接続され、少なくとも１つは該他の記録再生装置を遠隔制御できる電子機器で、少なくとも１つのテレビモニタと、少なくとも１つ記録再生装置が接続されている電子機器システムの未再生録画通知方法において、
該他の記録再生装置を遠隔制御できる電子機器は、ネットワークに接続された記録再生装置の動作状態の変化を検知し、録画状態を検知すると録画している記録媒体を特定する記録媒体ＩＤを該記録再生装置に要求し、該記録媒体ＩＤと該ネットワークに接続された記録再生装置が記録媒体に記録した録画を区別する録画番号と該録画が未再生かどうかを示す再生指数からなる録画情報と、該記録媒体を特定するＩＤとの組み合わせを記録して、該録画情報に未再生録画が存在する場合には、ネットワークに接続されたテレビモニタに該未再生の録画があることを表示し通知することを特徴とする未再生録画通知方法。
【請求項１６】
ネットワークに接続された他の記録再生装置と接続可能な複数の電子機器が接続され、少なくとも１つは該他の記録再生装置を遠隔制御できる電子機器で、少なくとも１つのテレビモニタと、少なくとも１つ記録再生装置が接続されている電子機器システムの未再生録画通知方法において、
該他の記録再生装置を遠隔制御できる電子機器は、ネットワークに接続された記録再生装置が録画情報を保持しているかを検知し、保持している場合には該記録再生装置に録画情報を要求し、該録画情報を用いて未再生録画の存在を検知し、ネットワークに接続されたテレビモニタに該未再生の録画があることを表示し通知することを特徴とする未再生録画通知方法。
【請求項１７】
ネットワークに接続された他の記録再生装置と接続可能な複数の電子機器が接続され、少なくとも１つは該他の記録再生装置を遠隔制御できる電子機器で、少なくとも１つのテレビモニタと、少なくとも１つ記録再生装置が接続されている電子機器システムの未再生録画通知方法において、
該他の記録再生装置を遠隔制御できる電子機器は、ネットワークに接続された記録再生装置が録画情報を保持しているかを検知し、保持している場合には該記録再生装置に録画情報を要求し、保持していない場合には該記録再生装置が録画状態を検知すると録画している記録媒体を特定する記録媒体ＩＤを該記録再生装置に要求し、該記録媒体ＩＤと該ネットワークに接続された記録再生装置が記録媒体に記録した録画を区別する録画番号と該録画が未再生かどうかを示す再生指数からなる録画情報と、該記録媒体を特定するＩＤとの組み合わせを記録して、該他の電子機器を遠隔制御できる電子機器に記録された情報に未再生録画が存在するか、もしくは該記録再生装置に要求した該録画情報から未再生録画の存在を検知した場合には、ネットワークに接続されたテレビモニタに該未再生の録画があることを表示し通知することを特徴とする未再生録画通知方法。
【発明の詳細な説明】
【０００１】
【発明の属する技術分野】
本発明は、ＩＥＥＥ１３９４などにより規定されるディジタル・インターフェースを介して、ネットワークを構築できる情報家電機器に関するものであり、特に機器を遠隔制御する機能をもつ機器で、特に記録再生装置を制御できる機器に関する。
【０００２】
【従来の技術】
ＩＥＥＥ１３９４ディジタル・インターフェースポートを装備したデジタル衛星放送受信機（以下、ＩＲＤと称する）やデジタルビデオテープレコーダ（以下、Ｄ−ＶＴＲと称する）や、デジタルビデオカメラ等のデジタル情報家電の登場により、家庭内ネットワークの構築が可能となってきた。特開平９−１１６８１９号公報においては、ネットワークに新しく接続された機器や取り外された機器を検出し、それに伴う各種設定を自動的に行いその結果を表示するにシステムが提案されている。
【０００３】
また、現行のアナログＶＴＲとの互換性を保ちながら、デジタル衛星放送などのデジタル圧縮符号化された信号をデジタルのまま記録し再生できるＶＴＲが実用化されており、１つのテープにデジタル映像信号とアナログ映像信号を混在して記録した場合においても、記録した信号の種類にかかわらずテープ上に記録された番組を用意に検索できる記録再生装置が特開平１１−３９８４７号公報で提案されている。
【０００４】
前述の特開平１１−３９８４７号公報の記録再生装置では、ユーザが録画された番組があることを知っていて、それを再生する場合は有用であるが、録画された番組でまだ見ていないものがある場合に関しては何も考慮されていなかった。そのため、録画したものの見忘れてしまうことがよくあった。また、 前述の特開平９−１１６８１９号公報においても、ネットワークに接続された記録再生装置が録画や再生などの動作状態を監視して通知することに関しては何も考慮され
ていない。
【０００５】
【発明が解決しようとする課題】
本発明の目的は、ネットワークに接続可能な記録再生装置に録画された番組が未再生の時、未だ見ていない録画情報があることをモニタに表示してユーザに知らせる未再生録画通知装置及び未再生録画通知システムならびに未再生録画通知方法を提供することにある。
【０００６】
【課題を解決するための手段】
上記問題を達成するために、本発明は、ネットワークに接続されたネットワークを介して他の機器（記録再生装置）を制御できる機器に、録画情報記録手段、通知手段、未再生通知制御手段を持たせ、ネットワーク上の機器が録画を行った場合は、録画した機器を識別するＩＤ、記録したメディアを識別するＩＤなどを、全て録画情報記録手段に記録する。録画終了時や、テレビモニタの電源が入った時に、録画情報記録手段に記録された情報を参照し、未再生の録画がある場合はアイコンや文字などで表示してユーザに知らせる。  さらに、未再生録画の一覧を表示し、ユーザが見たい録画番組を選択すると録画情報記録手段に記録された情報をもとに、録画されたテープの頭出しを行い、テレビモニタと録画番組を再生する記録再生装置のプラグの接続し、再生するようにした。
【０００７】
【発明の実施の形態】
以下、図面を参照して本発明の実施の形態について詳しく説明する。図１は、本発明にかかる未再生録画通知装置と、Ｄ−ＶＴＲ、テレビモニタで構成されるの未再生録画通知システムの一例である。本発明の第１の実施の形態にかかる未再生録画通知システムは、ここで、本発明の未再生録画通知装置となるＩＲＤ１と、Ｄ−ＶＴＲ２と、Ｄ−ＶＴＲ５と、テレビモニタ３を、各電子機器のディジタル・インターフェースポートを介してＩＥＥＥ１３９４シリアルバス４で接続して構成される。但し、ディジタル・インターフェースは、ＩＥＥＥ１３９４シリアルバスに限られるものではなく、ＵＳＢ（Universal  Serial  Bus）であっても可能である。かっこ内の値は個々の機器を特定する機器ＩＤを示している。
【０００８】
ＩＲＤ１は、ＩＲＤ回路１１と、他機器制御手段１２と、未再生録画通知手段１３と、ディジタル・インターフェースポート１４と、バス１５を有して構成される。
【０００９】
ＩＲＤに公知のＩＲＤ回路１１は、ＩＲＤ信号処理回路１１１と、ＩＲＤシステム制御手段１１２を持ち、ＩＲＤに公知のデジタル衛星放送受信、デコード処理などを行う。
【００１０】
他機器制御手段１２は、他のデジタルＡＶ機器との相互運用を可能にする、例えば、ＨＡＶｉ（Home  Audio/Video  Interoperability  Architecture）規格で規定されたミドルウェアのようなネットワークミドルウェア１２１と、ＶＴＲ２を制御するプログラムコードユニットのＤＣＭ/ＦＣＭ（Device  Control  Module/Function  Component  Module）で構成するＶＴＲ制御手段１２２と、同様にＤＣＭ/ＦＣＭで構成するテレビモニタ３を制御するテレビモニタ制御手段１２３と、ＩＲＤ１を制御するＩＲＤ制御手段１２４と、ＶＴＲ５を制御するＶＴＲ制御手段１２５とからなる。
【００１１】
未再生録画通知手段１３は、ＶＴＲに録画された番組の情報を記録する録画情報記録手段１３１と、未再生録画があることをテレビモニタに表示して通知する通知手段１３２と、記録、再生、停止、テープ取り出しなどＶＴＲの状態の変化を常にモニタし、状態変化をトリガに未再生録画通知の各処理を制御する未再生通知制御手段１３３とで構成する。
【００１２】
ディジタル・インターフェースポート１４と他の手段１１，１２，１３は、バス１５を介してデータのやり取りを行なう。
【００１３】
ここで、ＨＡＶｉミドルウェア、及び、ＤＣＭ/ＦＣＭについて簡単に説明する。ＨＡＶｉミドルウェアは、メーカやＯＳに依存しない総合的なＡＶ機器の相互共通動作を実現するミドルウェアで、ＨＡＶｉ規格におけるコントローラデバイスに搭載される。ＨＡＶｉミドルウェアはＨＡＶｉソフトウェアエレメント（以下ＳＥと称す）にＩＥＥＥ１３９４ネットワークサービスを提供するＣＭＭ（Communication  Media  Manager）、ＳＥ間のメッセージ送受信サービスを提供するＭＳ(MeＳaging  System)、ＨＡＶiネットワーク内のＳＥのディレクトリを管理するＲｅｇｉｓｔｒｙ、ＳＥにネットワークの状態やＳＥの状態、及び、機器の状態の変化をイベントとして通知するＥＭ（Event  Manager）、機器の操作、及び、状態を取得するためのインターフェースを提供するＤＣＭ/ＦＣＭを機器にインストールしたり削除したりするＤＭ（Device  Control  Module  Manager）、ＦＣＭ間のアイソクロナス接続サービスを提供するＳＭ（Stream  Manager）、デバイスリソースの管理を行うＲＭ（Resource  Manager）からなる。
【００１４】
ＤＣＭは、ＨＡＶiネットワークに存在する機器とのインターフェースとなるＳＥで、０個以上のＦＣＭを持つ。ＦＣＭは、機器の機能を表すＳＥで、例えば、Ｄ−ＶＴＲの場合はＶＣＲ  ＦＣＭ、Ｃｌｏｃｋ  ＦＣＭなどを持つ。
【００１５】
未再生通知制御手段１３３は、ＨＡＶｉ仕様のようなネットワークミドルウェア１２１上で動作するプログラムで、ネットワークミドルウェア１２１を介してネットワークに接続された他の機器を制御したり、現在の状態を取得したり、状態の変化をイベントとして通知を受けたりすることができる。
【００１６】
図２は、本発明の実施の形態にかかる未再生録画通知手段１３における録画開始時の録画情報記録処理フローチャートである。未再生通知制御手段１３３は、Ｄ−ＶＴＲの動作状態変化のイベントを受信し、動作状態が録画なら録画情報記録処理（ａ）を開始する（ステップＳ２０１）。このイベント通知にはＤ−ＶＴＲを他の機器と識別するための機器ＩＤが含まれている。始めに、未再生録画の情報を録画毎に区別するための番号、未再生録画Ｎｏをインクリメントし（ステップＳ２０２）、録画情報処理タスクに追加する（ステップＳ２０３）。次に、ＶＴＲ制御手段１２２を用いてＤ−ＶＴＲ２が録画しているテープを識別するためのテープＩＤを取得し（ステップＳ２０４）、次いで、テープへの録画開始位置を示す絶対トラックの値の取得（ステップＳ２０５）、録画開始日時の取得（ステップＳ２０６）を行い、録画情報記録手段１３１に、未再生録画Ｎｏ、機器ＩＤ、再生指数、テープＩＤ、録画開始絶対トラック、録画開始日時と供に記録する（ステップＳ２０７）。再生指数は、番組の録画時間のうち何％見たかを表す指数で、ここでは値“０”で記録する。
【００１７】
更に、ネットワークミドルウェア１２１のストリーム・マネジャ機能を用いて録画ソース機器を特定し、その機器を制御する制御手段を使用してその機器から番組付属情報を取得（ステップＳ２０８）し、すなわち、ソース機器がＩＲＤ１であった場合は、ＩＲＤ制御手段１２４を介して番組付属情報を取得し、録画情報記録手段１３１に記録する（ステップＳ２０９）。
【００１８】
図７は、録画情報記録手段１３１に記録するデータの一例であり、図７（ａ）は、録画情報処理タスク、図７（ｂ）は、録画情報である。この例では、図７（ａ）に示すように、録画情報タスクには、録画中の処理が２つあり、その未再生録画Ｎｏが１と２であることを示している。図７（ｂ）に示すように、録画情報は、未再生録画Ｎｏ毎に、それを録画した機器を特定する機器ＩＤ、録画したテープを特定するテープＩＤ、番組情報として、録画開始絶対トラック値、録画終了絶対トラック値、録画開始日時、録画時間の長さ、再生指数、番組タイトルを記録する。図７（ｂ）の例では、３つの未再生情報があることを示しており、その未再生録画Ｎｏは０、１、２である。０は既に録画が完了した番組のデータで、機器ＩＤが０x０００２の機器Ｄ−ＶＴＲ２に、テープＩＤが０x０００１のテープに録画された未再生録画があることを示している。未再生録画Ｎｏ１、２は現在録画進行中のデータで、１は機器ＩＤ０ｘ０００９の機器Ｄ−ＶＴＲ５でテープＩＤ０x０００２のテープに録画中であることを示し、２はＩＤ０ｘ０００２の機器Ｄ−ＶＴＲ２でテープＩＤ０x０００１のテープに、未再生録画Ｎｏ０の録画の続きに録画中であることを示している。
【００１９】
図３は、本発明の実施の形態にかかる、未再生録画通知手段１３における録画終了時の録画情報記録処理フローチャートである。未再生通知制御手段１３３は、Ｄ−ＶＴＲの動作状態変化のイベントを受信し、動作状態が停止で且つ、録画から停止に変化した時だけ録画情報記録処理（ｂ）を開始する（ステップＳ３０１）。 このイベント通知にはＤ−ＶＴＲを一意に識別するための機器ＩＤが含まれている。
【００２０】
下記のような状況を例に録画終了時の録画情報記録処理を説明する。図１のＤ−ＶＴＲ２とＤ−ＶＴＲ５が各々録画中で、未再生録画通知手段１３の録画情報記録手段１３１に図７で示したような情報が記録されている。Ｄ−ＶＴＲ２が録画から停止状態になり、録画停止イベントが通知され録画情報記録処理（ｂ）を開始した。
【００２１】
始めに、ＶＴＲ制御手段１２２を用いてＤ−ＶＴＲ２が録画しているテープを識別するためのテープＩＤ（この例の場合は、０x０００１）を取得し（ステップＳ３０２）、録画情報処理タスク（図７（ａ））に登録されている未再生録画Ｎｏの機器ＩＤとテープＩＤがステップＳ３０１で取得した機器ＩＤおよびステップＳ３０２で取得したテープＩＤに一致しているかどうかを確認する（ステップＳ３０３）。一致しない場合は、テープの記録内容と録画情報記録手段１３１に記録されているデータに不整合の恐れがあるので処理を終了する。一致する場合は、ステップＳ３０４の処理に移り、録画終了位置を示す絶対トラックの値と（ステップＳ３０４）、録画終了日時を取得する（ステップＳ３０５）。次に、ステップＳ３０３で取得した録画終了位置を示す絶対トラックの値と、ステップＳ３０４で取得した先に記録した録画開始日時と録画終了日時から録画時間の長さを計算し、未再生録画Ｎｏに対応する録画情報記録手段１３１の録画情報に追加記録し（ステップＳ３０６）、録画情報処理タスク（図７（ａ））から未再生録画Ｎｏを削除する（ステップＳ３０７）。この例の場合は、機器ＩＤ０ｘ０００２と、テープＩＤＩＤ０x０００１で、これは、図７の（ａ）は録画情報処理タスクの未再生録画Ｎｏ２に対応する録画情報に一致するので、未再生録画Ｎｏ２の録画情報に録画終了位置を示す絶対トラックの値と録画時間の長さを追加記録し、録画情報処理タスクから未再生録画Ｎｏ２を削除する。
【００２２】
図８にステップＳ３０６およびステップＳ３０７の処理後の録画情報記録手段１３１に記録されたデータの状態を示す。
【００２３】
次に、テレビモニタの電源がオンであるか否かを確認し（ステップＳ３０８）、オフの場合は処理を終了し、オンの場合は未再生録画Ｎｏに対応する未再生の録画があること、この場合は未再生録画Ｎｏ１の未再生をユーザに通知する通知処理を行う（ステップＳ３０９）。この未再生録画の通知処理については図４のフローチャートを用いて説明する。
【００２４】
図４は、本発明の実施の形態にかかる未再生録画通知手段１３における未再生録画の通知処理フローチャートである。始めに、未再生未再生録画Ｎｏの録画情報に登録されている機器ＩＤのデバイスに、登録されているテープＩＤのテープが挿入されているかどうかを確認する（ステップＳ4０２）。もし、テープが入っていなかった場合は処理を終了する。入っていた場合は、未再生録画があることをアイコン、文字などでテレビモニタに表示しユーザに知らせる（ステップＳ４０３）。次に、未再生録画通知装置１のコントローラの未視聴録画再生ボタンが押されたかを確認し（ステップＳ４０４）、押されていない場合はステップＳ４０５に、押された場合はステップＳ４０６の処理を行う。ステップＳ４０５では通知表示が所定の表示時間が経過したかを確認し、経過していたらステップＳ４０３で表示した通知を消し（ステップＳ４０８）、処理を終了する。まだ、所定の表示時間が経過していない場合は、スッテップＳ４０４の処理に戻る。ステップＳ４０４で未視聴録画再生ボタンが押されていた場合は、ステップＳ４０３で表示した通知を消し（ステップＳ４０５）、未再生録画Ｎｏに対応する録画の再生処理を開始する（ステップＳ４０７）。この未再生録画の再生処理については、図５のフローチャートを用いて説明する。
【００２５】
図５は、本発明の実施の形態にかかる、未再生録画通知手段１３における未再生録画の再生処理フローチャートである。始めに、再生のために頭出しを始めることをアイコン、文字などでユーザに伝え（ステップＳ５０２）、テープの現在の位置を取得し（ステップＳ５０３）、その値と、録画開始位置の値を比較し、録画開始位置まで巻き戻し、もしくは、早送りする（ステップＳ５０４）。また、その間テレビモニタには、頭出し中であることを表示しておく。頭出しが完了したら、ソース機器の出力プラグとテレビモニタの入力プラグを接続し（ステップＳ５０５）、再生を開始する（ステップＳ５０６）。
【００２６】
図６は、本発明の実施の形態にかかる、テレビモニタの電源が投入された時の未再生録画通知処理のフローチャートである。始めに、録画情報記録手段１３１に記録されている情報を検索し、未再生の録画情報があるかを確認する（ステップＳ６０２）。未再生どうかは再生指数で判断し、例えば、再生指数が75％未満のものを未再生と判断する。未再生の録画情報がない場合はそのまま処理を終了し、未再生の録画情報がある場合はステップＳ６０３に進む。ステップＳ６０３では、未再生録画情報のすべての未再生録画記録Ｎｏに対し、機器ＩＤとそれに挿入されているテープＩＤの組み合わせが、録画情報記録手段１３１に記録されている情報と等しいかを確認し、正しい組み合わせが無い場合は処理を終了し、機器ＩＤとそれに挿入されているテープＩＤの組み合わせが正しい場合は未再生録画があることをアイコン、文字などでテレビモニタに表示しユーザに知らせる（ステップＳ６０４）。次に、未再生録画通知装置１のコントローラの未視聴録画再生ボタンが押されたかを確認し（ステップＳ６０５）、押されていない場合はステップＳ６０６に、押された場合はステップＳ６０７の処理を行う。ステップＳ６０６では通知表示が所定の表示時間が経過したかを確認し、経過していたらステップＳ６０４で表示した通知を消し（ステップＳ６１３）、処理を終了する。まだ、所定の表示時間が経過していない場合はスッテップＳ６０５の処理に戻る。ステップＳ６０５で未視聴録画再生ボタンが押されていた場合は、ステップＳ６０４で表示した通知を消し（ステップＳ６０７）、未再生録画の数を確認し（ステップＳ６０８）、１つの場合は、図５で説明した未再生録画の再生処理を行う（ステップＳ６１１）。未再生録画の数が２つ以上の場合は、録画日時、番組名などで構成するリストをテレビモニタに表示する（ステップＳ６０９）。但し、ここで表示する未再生番組には現在録画中のものは含まない。すなわち、録画情報処理タスクに入っている未再生録画Ｎｏのデータはリストから外される。リストには、ステップＳ６０３で機器とテープの組み合わせが正しいと判断したものだけを含む。ステップＳ６１０では再生する録画を選択されたかを確認するし、再生する録画情報が選択されたら、選択された未再生録画Ｎｏに対応する録画の再生処理を開始する（ステップＳ６１２）。この未再生録画の再生処理は、図５のフローチャートで説明した処理である。ステップＳ６１０で再生する録画情報が選択されなかった場合は、キャンセルが選択されたかを確認し、キャンセルが選択されていたらステップＳ６０９で表示したリストを消し（ステップＳ６１４）処理を終了する。キャンセルが選択されていなかった場合はステップＳ６１０に戻る。
【００２７】
図９は、未再生録画があることをユーザに通知するテレビモニタへの表示画面の一例であり、画面の下方に「未再生録画があります」の表示がなされる。
【００２８】
図１０は、頭出しから再生画面への切り替わりを示す図で、図１０（ａ）は、頭出し中であることをユーザに通知するテレビモニタへの表示画面の一例であり、画面の下方に「“アニメ”サーチ中」の表示がなされる。図１０（ｂ）は、再生を開始することをユーザに通知するテレビモニタへの表示画面の一例であり、画面の下方に「再生を始めます」の表示がなされ、再生開始と同時に、図１０（ｃ）のように視聴している画面から再生映像に切り替わる。
【００２９】
図１１は、未再生の録画が複数ある場合の選択リストの表示例である。複数のＶＴＲに未再生録画番組の録画されたテープが入っている場合も、同じリストに表示する。
【００３０】
以上、本発明によれば、未再生の録画情報を管理し、録画が終了した時や、テレビモニタの電源を入れる毎に未再生の録画があることを通知するので、録画の見忘れを防ぐことができる。また、録画リストの中から見たい番組を選択するだけで、録画番組が再生されテレビモニタに表示され、 ユーザはビデオを見るための入力切り替えや、巻き戻し、再生などの操作をする必要が無く操作性が向上する。更に、複数のＶＴＲに未再生録画番組の録画されたテープが入っている場合も、同じ未再生番組リストに表示することができ、ユーザは、録画されているテープがどの機器に入っているかを、全く意識することなく目的の録画番組を簡単に見ることができる。
【００３１】
尚、本発明の実施の形態においては、未再生録画通知装置としてＩＲＤを挙げているが、他の電子機器と接続可能で、他の電子機器を遠隔制御できる能力を持っている電子機器であれば、未再生録画通知手段１３を追加することで未再生録画通知装置となることができ、例えば、ＶＴＲやパソコン、テレビモニタでも同等の効果を有する。また、他機器制御手段１２はＩＲＤ制御手段とＶＴＲ制御手段、テレビモニタ制御手段をもっているが、本発明の未再生録画通知装置以外にネットワーク上に他の機器を遠隔制御可能な機器（コントローラ機器）がある場合には、そのコントローラ機器がＩＲＤ制御手段とＶＴＲ制御手段、テレビモニタ制御手段を持っていてもよく、未再生録画通知装置１はそのコントローラ機器の制御手段を介して制御してもよい。
【００３２】
また、他機器制御手段１２、及び、未再生録画通知手段１３はＨＡＶｉシステムを基本とした構成として説明したが、ネットワークを介して他の機器を遠隔操作でき、他のデジタル機器との相互運用を可能にするネットワークミドルウェアであれば、どのようなシステムでも同等の効果を得られる。
【００３３】
図１２を用いて、本発明にかかる第２の実施の形態について説明する。図１２は、本発明にかかる未再生録画通知装置１と未再生録画通知システムの第２の例である。ここで、本発明の第２の実施の形態にかかる未再生録画通知システムは、未再生録画通知装置となるＩＲＤ１と、Ｄ−ＶＴＲ２と、テレビモニタ３と、テープナビゲーション機能を持つＤ−ＶＴＲ６の装置が各電子機器のディジタル・インターフェースポートを介してＩＥＥＥ１３９４シリアルバス４で接続されている。かっこ内の値は個々の機器を特定する機器ＩＤである。Ｄ−ＶＴＲ６の持つテープナビゲーション機能（以下、略してテープナビ機能と呼ぶ）とは、録画テープ及び番組に整理番号をつけ、録画データ（録画開始日時、チャンネル、録画モード、番組タイトル、録画を見たかなど）をテープ毎に管理し、このデータを利用してテープの中身を一覧したり、番組の頭出しをしたりする機能のことである。
【００３４】
図１２において、図１と同じ機能を持つものは同じ番号で示し、ここでの説明は省略する。ＩＲＤ１において、他機器制御手段１２のＤ−ＶＴＲ制御手段１２６は、テープナビ機能を持つＤ−ＶＴＲ６を制御する手段であり、これを介して未再生録画通知装置１は、テープナビ機能を使った頭出し再生をさせたり、テープナビ機能のもつ、録画データを取得したりすることができる。  以下、図１２の実施の形態にかかる未再生録画通知装置と未再生録画通知システムにおける、録画情報記録処理、および、通知処理の処置を図１３、図１４、図１５を用いて説明する。尚、先に説明した図１の実施の形態にかかる処理を説明する図と同じ処理をする部分は同じ番号で表現し、ここでは説明を省略する。
【００３５】
図１３は、本発明における他の実施の形態にかかる未再生録画通知手段１３におけるテープナビ録画開始時録画開始時の録画情報記録処理フローチャートである。図２の処理と同様、未再生通知制御手段１３３は、Ｄ−ＶＴＲの動作状態変化のイベントを受信し、動作状態が録画なら録画情報記録処理（ａ）を開始する（ステップＳ１３０１）。未再生録画の情報を録画毎に区別するための番号、未再生録画Ｎｏをインクリメントし、録画情報処理タスクに追加、ついで、イベントをポストした機器を制御するＶＴＲ制御手段を用いてＤ−ＶＴＲが録画しているテープを識別するためのテープＩＤを取得する（ステップＳ２０２〜ステップＳ２０４）する。録画しているＶＴＲがテープナビ機能を持っているか否かを判断し（ステップＳ１３０２）、録画しているＶＴＲがテープナビ機能を持っている場合は、テープナビ機能の録画番組のデータを参照するための整理番号である番組ＩＤを取得し（ステップＳ１３０３）、未再生録画Ｎｏ、録画機器ＩＤ、再生指数、テープＩＤ、番組ＩＤと共に録画情報記録手段１３１に記録する（ステップＳ１３０４）。テープナビ機能を持っていない場合は、図２の処理と同様のステップＳ２０５〜ステップＳ２０９の処理を実行する。
【００３６】
図１４は、本発明における他の実施の形態にかかる未再生録画通知手段１３における録画終了時の録画情報記録処理フローチャートである。未再生通知制御手段１３３は、Ｄ−ＶＴＲの動作状態変化のイベントを受信し、動作状態が停止で且つ、録画から停止に変化した時だけ録画情報記録処理（ｂ）を開始する（ステップＳ１４０１）。始めに、ＶＴＲ制御手段１２２を用いてＤ−ＶＴＲが録画しているテープを識別するためのテープＩＤを取得（ステップＳ３０２）する。そして、録画情報処理タスクに登録されている未再生録画Ｎｏの機器ＩＤとテープＩＤが、ステップＳ１４０１で取得した機器ＩＤとステップＳ３０２で取得したテープＩＤに一致しているかどうかを確認する（ステップＳ３０３）。一致しない場合は、テープの記録内容と録画情報記録手段１３１に記録されているデータに不整合の恐れがあるので処理を終了する。一致する場合は、ステップＳ１４０２の処理に進む。ステップＳ１４０２では、番組録画機器がテープナビ機能を持っているかを確認し（ステップＳ１４０２）、次に、テープＩＤと番組ＩＤを指定してテープナビの録画データから録画日時、録画時間、番組タイトルを取得して（ステップＳ１４０３）、録画情報記録手段１３１に記録する（ステップＳ１４０４）。テープナビ機能を持っていない場合は、図３の処理と同様にステップＳ３０４からステップＳ３０６の処理を行う。そして、録画情報処理タスクから未再生録画Ｎｏを削除し（ステップＳ３０７）、次に、テレビモニタの電源がオンであるか否かを確認し（ステップＳ３０８）、オフの場合は処理を終了し、オンの場合は未再生録画Ｎｏに対応する未再生の録画があることをユーザに通知する通知処理を行う（ステップＳ３０９）。この未再生録画の通知処理は図４で説明した処理と同じである。
【００３７】
図１５は、本発明における他の実施の形態にかかる未再生録画通知手段１３における録画再生処理フローチャートである。テープナビ機能を持った機器は、番組の頭出しをする機能を持っているので、この処理をＤ−ＶＴＲにまかせる。すなわち、テープＩＤと番組ＩＤを指定し、番組の頭出しをＤ−ＶＴＲに要求し（ステップＳ１５０３）、Ｄ−ＶＴＲの出力プラグとテレビモニタのプラグを接続し（ステップＳ１５０４）処理を終了する。テープナビ機能を持っていない場合は、図５の再生処理（ステップＳ５０１〜ステップＳ５０６）を実行する。
【００３８】
以上、本発明における第２の実施の形態によっても、本発明の第１の実施の形態と同等の効果を持ち、未再生の録画情報を管理し、録画が終了した時や、テレビモニタの電源を入れる毎に未再生の録画があることを通知するので、録画の見忘れを防ぐことができる。また、録画リストの中から見たい番組を選択するだけで、録画番組が再生されテレビモニタに表示され、ユーザはビデオを見るための入力切り替えや、巻き戻し、再生などの操作をする必要が無く操作性が向上する。更に、複数のＶＴＲに未再生録画番組の録画されたテープが入っている場合も、同じ未再生番組リストに表示することができ、ユーザは、録画されているテープがどの機器に入っているかを、全く意識することなく目的の録画番組を簡単に見ることができる。また、テープナビ機能をもつＶＴＲがある場合は、その機器の持つ録画データや、頭出し機能を利用することで、未再生録画通知装置の処理を簡単にすることができる。
【００３９】
図１６を用いて、本発明の第３の実施の形態について説明する。図１６は、本発明にかかる未再生録画通知装置と未再生録画通知システムのさらに他の例である。第３の実施の形態にかかる未再生録画通知システムは、未再生録画通知装置となるＩＲＤ８と、テープナビ機能を持つＤ−ＶＴＲ６と、テープナビ機能を持つＤ−ＶＴＲ７と、テレビモニタ３の各電子機器を、そのディジタル・インターフェースポートを介してＩＥＥＥ１３９４シリアルバス４で接続して構成される。
【００４０】
ＩＲＤ８は、テープナビを持つ機器だけに対応する未再生録画通知機能をもつ。ＩＲＤ８は、録画データの管理を全てテープナビＤ−ＶＴＲ６，７に任せるため、図１、図１２の未再生録画通知装置１が持っている録画情報記録手段１３１を持たない。Ｄ−ＶＴＲ制御手段１２６はテープナビ機能を持つＤ−ＶＴＲ６を、Ｄ−ＶＴＲ制御手段１２７はテープナビ機能を持つＤ−ＶＴＲ７を制御する手段であり、これを介して未再生録画通知装置１は、テープナビ機能を使った頭出し再生をさせたり、テープナビ機能のもつ、録画データを取得したりすることができる。
【００４１】
図１７は、本発明の第３の実施の形態にかかるテレビモニタの電源が投入された時の未再生録画通知処理のフローチャートである。
【００４２】
テレビモニタの電源が入ると、未再生録画通知装置１−２はネットワークに接続された全てのテープナビ機能をもつＤ−ＶＴＲに挿入されたテープの録画データ（録画開始日時、チャンネル、録画モード、番組タイトル、録画をみたか）を取得する（ステップＳ１７０２）。そして、録画データの録画を見たかどうかを示すデータを使用して未再生番組のデータを選び出し、図１１のようなリストを構成し（ステップＳ１７０３）、表示する（ステップＳ１７０４）。ステップＳ１７０５では再生する録画が選択されたかを確認し、選択されなかった場合はキャンセルが選択されたかを確認（ステップＳ１７０６）、キャンセルが選択されていたらステップＳ１７０４で表示したリストを消し（ステップＳ１７０７）処理を終了する。キャンセルが選択されていなかった場合はステップＳ１７０５に戻る。ステップＳ１７０５では再生する録画が選択された場合は、選択された番組が録画されているテープの挿入されているＤ−ＶＴＲにテープナビによる再生リクエストを要求し（ステップＳ１７０８）、再生するＤ−ＶＴＲの出力プラグとテレビモニタの入力プラグを接続する（ステップＳ１７０９）。
【００４３】
以上、本発明のさらに他の実施の形態も、本発明の実施の形態と同等の効果をもつ。更に、テープナビ機能の持つ録画データを使用して未再生の判断や、未再生番組のリストを構成するための録画日時や番組タイトルなどのデータを取得する。そのため、未再生録画通知装置１−２は、録画番組の情報を記録する録画情報記録手段をもつ必要が無く、構成を簡単にすることができる。また、選択された番組を再生する時も、テープナビ機能の頭出し再生機能を使用するため未再生録画通知装置の処理を簡単にすることができる。
【００４４】
図１８を用いて、本発明の第４の実施の形態について説明する。図１８は、本発明にかかる未再生録画通知装置と未再生録画通知システムのさらに他の例を示す。かっこ内の値は個々の機器を特定する機器ＩＤである。本発明の第４の実施の形態にかかる未再生録画通知システムは、未再生録画通知装置で内蔵するハードディスクを記録媒体とするハードディスクビデオレコーダ（以下、ＨＤＶＲと称す）１−３と、ＩＲＤ８と、テレビモニタ３の全ての装置が各電子機器のディジタル・インターフェースポートを介してＩＥＥＥ１３９４シリアルバス４で接続されている。
【００４５】
ＨＤＶＲ１−３は、ネットワークを介して他の機器を制御する他機器制御手段１２と、未再生録画通知手段１３と、ＨＤＶＲ回路１６と、記録媒体として働くハードディスク（ＨＤ）１７と、ディジタル・インターフェースポート１４と、各手段を接続するバス１５とを有して構成される。
【００４６】
滝木制御手段１２は、ネットワ−クミドルウェア１２１と、テレビモニタ制御手段１２３と、ＩＲＤ制御手段１２４と、ＨＤＶＲを制御するＨＤＶＲ制御手段１２８を有している。
【００４７】
未再生録画通知手段１３は、通知手段１３２と未再生通知制御手段１３３を有しており、ＨＤＶＲもその機能として、テープナビ機能つきＤ−ＶＴＲと同じように録画した番組の情報を持っているので、図１に示した録画情報記録手段１３１をもたない。
【００４８】
ＨＤＶＲ回路１６は、ＨＤＶＲ信号処理回路１６１とＨＤＶＲシステム制御手段１６２で構成されるＨＤＶＲに公知の回路である。
【００４９】
ＨＤＶＲ１−３は、録画中の番組もその録画の終了を待たずに、録画を続けながら番組の最初から再生することができる。従って、テレビモニタの電源が投入された時には、録画の終了した未再生録画がある場合だけでなく、現在進行中の録画がある場合も未再生録画があることを通知し、未再生録画のリストには、現在進行中の録画番組も含む。
【００５０】
以上、本発明の第４の実施の形態も、本発明の第１の実施の形態と同等の効果をもつ。更に、現在進行中の録画も再生することが可能であり、またメディアがランダムアクセス可能なＨＤなのでテープのように頭出しの必要がなく、瞬時に見たい番組を再生することができる。
【００５１】
尚、本発明の第４の実施の形態では記録媒体としてＨＤを用いているが、光ディスクや半導体メモリを記録媒体として使用する装置でも同等の効果を有する。また、記録する番組は映像の録画として説明したが、音声放送の録音、データ放送の記録においても同等の効果を有する。
【００５２】
【発明の効果】
本発明によれば、ネットワークに接続された他の記録再生装置と接続可能で、該他の記録再生装置を遠隔制御できる電子機器に設けた未再生録画通知装置において、未再生の録画情報を管理し、録画が終了した時や、テレビモニタの電源を入れる毎に未再生の録画があることを通知するので、録画の見忘れを防ぐことができる。また、録画リストの中から見たい番組を選択するだけで、録画番組が再生されテレビモニタに表示され、 ユーザはビデオを見るための入力切替えや、巻戻し、再生などの操作をする必要が無く操作性が向上する。更に、複数のＶＴＲに未再生録画番組の録画されたテープが入っている場合も、同じ未再生番組リストに表示することができ、ユーザは、録画されているテープがどの機器に入っているかを、全く意識することなく目的の録画番組を簡単に見ることができる。
【図面の簡単な説明】
【図１】本発明の第１の実施の形態にかかる未再生録画通知装置と未再生録画通知システムの構成を示すブロック図。
【図２】図１のシステムにおいて、録画開始時の録画情報記録処理手順を示すフローチャート。
【図３】図１のシステムにおいて、録画終了時の録画情報記録処理手順を示すフローチャート。
【図４】図１のシステムにおいて、未再生録画の通知処理手順を示すフローチャート。
【図５】図１のシステムにおいて、未再生録画の再生処理手順を示すフローチャート。
【図６】図１のシステムにおいて、テレビモニタ電源投入時の未再生録画通知処理手順を示すフローチャート。
【図７】図１のシステムにおける録画情報記録手段１３１に記録する録画情報データの一例を説明する図。
【図８】図１のシステムにおける録画終了後の録画情報記録手段１３１に記録されたデータの状態を示す図。
【図９】図１のシステムにおける未再生録画をユーザに通知するテレビモニタへの表示画面の一例を説明する図。
【図１０】図１のシステムにおける頭出しから再生画面処理へ移る時のテレビモニタへの表示画面の一例を説明する図。
【図１１】図１のシステムにおける未再生の録画が複数ある場合の選択リストの表示例を説明する図。
【図１２】本発明の第２の実施の形態にかかる未再生録画通知装置と未再生録画通知システムの構成を示すブロック図。
【図１３】図１２のシステムにおいて、録画開始時の録画情報記録処理手順を示すフローチャート。
【図１４】図１２のシステムにおいて、実施例にかかる録画終了時の録画情報記録処理手順を示すフローチャート。
【図１５】図１２の実システムにおいて、未再生録画の再生処理手順を示すフローチャート。
【図１６】本発明の第３の実施の形態にかかる未再生録画通知装置と未再生録画通知システムの構成を示すブロック図。
【図１７】図１６のシステムにおいて、テレビモニタ電源投入時の未再生録画通知処理、及び再生処理の手順を示すフローチャート。
【図１８】本発明の第４の実施の形態にかかる未再生録画通知装置と未再生録画通知システムの構成を説明するブロック図。
【符号の説明】
１  未再生録画通知装置（ＩＲＤ）
１−２  未再生録画通知装置（ＩＲＤ）
１−３  未再生録画通知装置（ＨＤＶＲ）
２  Ｄ−ＶＴＲ
３  テレビモニタ
４  ＩＥＥＥ１３９４シリアルバス
５  Ｄ−ＶＴＲ
６  テープナビ機能を持つＤ−ＶＴＲ
７  テープナビ機能を持つＤ−ＶＴＲ
８  ＩＲＤ
１１  ＩＲＤ回路
１２  他機器制御手段
１３  未再生録画通知手段
１４  ディジタル・インターフェースポート
１５  バス
１６  ハードディスクビデオレコーダ（ＨＤＶＲ）回路
１７  ハードディスク（ＨＤ）
１１１  ＩＲＤ信号処理回路
１１２  ＩＲＤシステム制御回路
１２１  ネットワークミドルウェア
１２２  ＶＴＲ制御手段
１２３  テレビモニタ制御手段
１２４  ＩＲＤ制御手段
１２５  ＶＴＲ制御手段
１２６  ＶＴＲ制御手段
１２７  ＶＴＲ制御手段
１２８  ＨＤＶＲ制御手段
１３１  録画情報記録手段
１３２  通知手段
１３３  未再生通知制御手段
１６１  ＨＤＶＲ信号処理回路
１６２  ＨＤＶＲシステム制御手段
【図１】
0003917376.tif 000002
【図２】
0003917376.tif 000003
【図３】
0003917376.tif 000004
【図４】
0003917376.tif 000005
【図５】
0003917376.tif 000006
【図６】
0003917376.tif 000007
【図７】
0003917376.tif 000008
【図８】
0003917376.tif 000009
【図９】
0003917376.tif 000010
【図１０】
0003917376.tif 000011
【図１１】
0003917376.tif 000012
【図１２】
0003917376.tif 000013
【図１３】
0003917376.tif 000014
【図１４】
0003917376.tif 000015
【図１５】
0003917376.tif 000016
【図１６】
0003917376.tif 000017
【図１７】
0003917376.tif 000018
【図１８】
0003917376.tif 000019